(57)【要約】      （修正有）【課題】水溶性プラスチック樹脂で射出成形加工、または押し出し成形加工された綴じ紐と綴じ板で構成し、フラットファイルとして書類を固定が出来、且つ分別廃棄を必要としないフラットファイルを提供する。【解決手段】フラットファイルは、水溶性プラスチック樹脂製の綴じ紐と綴じ板で構成し、双方で書類を固定できる装置を設けて書類を固定し、綴じ紐を固定する駒の使用などの水溶性プラスチック以外の材質を使用しないフラットファイルであるが特徴とする。【選択図】図２
0003131512.tif 000002
【実用新案登録請求の範囲】
【請求項１】
水溶性プラスチック樹脂で射出成形加工された綴じ紐と綴じ板（押え板）および紙製の表紙、裏表紙、背表紙から成るフラットファイルであり、分別廃棄の必要がなく、紙の再生利用にも問題が生じないことを特徴とするフラットファイルである。
【請求項２】
水溶性プラスチック樹脂製綴じ板に所要の孔と、綴じ紐胴部上面を抜け防止形状を持たせ、同様に水溶性プラスチック樹脂製綴じ紐は所要の長さで作り、屈曲自在な綴じ紐で綴じ板（押え板）横孔口を挿通し、書類を固定する。且つ横孔底面にも抜け防止形状を持たせ、綴じ紐上面と綴じ板横孔底面が抜け防止形状が作用し書類を固定する。
【考案の詳細な説明】
【背景技術】
【０００１】フラットファイルは一般的にポリプロピレン樹脂製の綴じ紐を取り付けた紙製の表紙の上に綴じ紐を挿通させる孔を窄設した書類等を置き、さらに書類等の上にプラスチック樹脂製または金属製押え板を載せ、押え板に設けた孔に書類等の孔を貫通した綴じ紐の先端部を挿通してからその綴じ紐の先端部を押え板の上にスライド移動が自在に取り付けた押え駒によって固定するように作られている。【０００２】上述のようなフラットファイルは廃棄する時、環境上それぞれの材質によって分別し廃棄するようになっている。
【考案の開示】
【考案が解決しようとする課題】
【０００３】そこで、本考案は水溶性プラスチック樹脂で射出成形加工、または押し出し加工された綴じ紐と綴じ板で構成しフラットファイルとして書類を固定が出来、且つ分別廃棄を必要としないフラットファイルの提供を目的とする。
【課題を解決するための手段】
【０００４】上記目的を達成するために本考案のフラットファイルは、水溶性プラスチック樹脂製の綴じ紐と綴じ板で構成し、綴じ紐と綴じ板、双方で書類を固定できる装置を設けて書類を固定できるようにし、綴じ紐を固定する駒の使用などの水溶性プラスチック以外の材質を使用しないフラットファイルであるのが特徴とする。
【考案の効果】
【０００５】また水溶性プラスチック樹脂は、株式会社クラレ製：クラレポバールＣＰシリーズを成形樹脂（溶融成形用ポリビニールアルコール）として採用し、水溶性プラスチック樹脂と紙で構成されたフラットファイルは、紙の再生利用に際し、ポバール樹脂は紙加工上、顔料バインダー剤、表面サイジング剤、ビーター添加剤の三つに大別されるが、いままで表面サイジング剤として澱粉、顔料バインダーとしてカゼインが主として使用されてきたがポバールは澱粉やカゼインに比較して繊維素の接着力が強く紙加工剤と使用されているので、分別の必要もなく、紙の再生利用に際し、コスト面や環境にも有効と考える。
【考案を実施するための最良の形態】
【０００６】以下、本考案の実施の形態を図面に基ずき詳細に説明する。【０００７】［図１］〜［図２］は本考案の実施の形態に係り、［図１］は水溶性プラスチック製のｂ綴じ紐をｆ紙表紙に固定し、ａ綴じ板のｄ挿通孔を貫通させ、ｇ書類の孔に通し、水溶性プラスチック製ｄ綴じ板孔も貫通させ、綴じ紐を屈曲させながらｃ綴じ板横孔に挿入し、ｈ綴じ紐突起体とｉ綴じ板横孔突起体の溝に入り込み、書類等を固定させた外観斜視図である。
【実施例】
【０００８】本考案によるフラットファイルの実施に際し、書類等に合わせＡ５、Ａ４，Ａ３サイズ、Ｂ５，Ｂ４サイズ、統一伝票サイズ等を提供し、各サイズの閉じ紐の長さや綴じ板の長さ、厚み、幅等は状況に応じて選択するものである。【０００９】以上、本考案の実施の形態及び実施例を説明したが本考案の範囲は、これらに限定されるものではない。
例えば、水溶性プラスチック樹脂製の［図１０］の綴じ板と［図１１］の釘のような形状の綴じ紐を［図１２］のパッキン綴じ紐をファイル表紙に固定し書類等綴じることもできる。また表紙及び裏表紙付いていない綴じ具としても利用する事ができる。水溶性プラスチック樹脂と紙で構成された綴じ具は分別廃棄の必要としないうえで手間が省け、且つ紙の再生にも書類を綴じたまま利用する事ができる。
【産業上の利用分野】
【００１０】本考案は、一般文具を製造、販売する産業分野で利用する事ができる。
【図面の簡単な説明】
【００１１】
【図１】は紙表紙に綴じ紐と綴じ板をセットし、書類を固定させる要部の斜視図である。
【図２】は紙表紙に綴じ紐と綴じ板をセットし、書類を固定させる要部の斜視図である。
【図３】は、水溶性プラスチック製綴じ紐の断面図である。
【図４】は綴じ紐の平面図である。
【図５】は綴じ紐の平面図である。
【図６】は挿と通綴じ板の平面図である。
【図７】は挿と通綴じ板の平面図である。
【図８】は、水溶性プラスチック製綴じ板断面図である。
【図９】は、は本考案の要部の斜視図
【図１０】は別の方式の綴じ板の平面図である。
【図１１】は綴じ紐の立面図である。
【図１２】は［図１１］綴じ紐を表紙に固定するパッキンの平面図である。
【符号の説明】
【００１２】ａ．綴じ板          ｂ．綴じ紐          ｃ．綴じ板横孔口
ｄ．綴じ紐挿通口    ｅ．綴じ板横孔      ｆ．紙表紙
ｇ．紙表紙綴じ紐挿通口                  ｈ．綴じ板突起体
ｉ．綴じ板横孔底部突起体
【図１】
0003131512.tif 000003
【図２】
0003131512.tif 000004
【図３】
0003131512.tif 000005
【図４】
0003131512.tif 000006
【図５】
0003131512.tif 000007
【図６】
0003131512.tif 000008
【図７】
0003131512.tif 000009
【図８】
0003131512.tif 000010
【図９】
0003131512.tif 000011
【図１０】
0003131512.tif 000012
【図１１】
0003131512.tif 000013
【図１２】
0003131512.tif 000014
【手続補正書】
【提出日】平成18年12月21日(2006.12.21)
【手続補正２】
【補正対象書類名】実用新案登録請求の範囲
【補正対象項目名】全文
【補正方法】変更
【補正の内容】
【実用新案登録請求の範囲】
【請求項１】
水溶性プラスチック樹脂で射出成形加工された二つの綴じ紐と綴じ板および紙製の表紙、裏表紙、背表紙から成るフラットファイルであり、且つ二つの綴じ紐と綴じ板によっても書類が綴じることが出来、水溶性樹脂で作られているので分別廃棄の必要が無く、紙の再生利用にも問題生じないフラットファイル。
【請求項２】
水溶性プラスチック樹脂製綴じ板に所要の孔と綴じ紐胴部上面を抜け防止形状を持たせ、同様に水溶性プラスチック樹脂製綴じ紐は所要な長さで作り屈曲自在な綴じ板横孔口を挿通し書類を固定、且つ横孔底面にも抜け防止形状を持たせ綴じ紐上面と綴じ板横孔底面が抜け防止形状が作用し書類を固定するフラットファイル。